(57)【要約】【課題】ＩＣタグ１０の汎用性を損うことなく、必要十分な認識性を実現する。【解決手段】物品に付けるＩＣタグ１０と、ＩＣタグ１０と交信する可搬形のリーダライタ２０と、リーダライタ２０からの電波を受信する発光素子３５付きの受信装置３０とを設ける。【選択図】図１
2008156038.tif 000002
【特許請求の範囲】
【請求項１】
物品に付ける非接触形のＩＣタグと、該ＩＣタグと交信する可搬形のリーダライタと、該リーダライタからの電波を受信する表示手段付きの受信装置とを備えてなり、該受信装置は、前記リーダライタからの識別情報と、あらかじめ記憶している識別情報との一致を検知して前記表示手段に表示することを特徴とする物品の管理システム。
【請求項２】
前記受信装置は、前記リーダライタからの識別情報と、あらかじめ記憶している識別情報との一部一致を検知することを特徴とする請求項１記載の物品の管理システム。
【請求項３】
前記受信装置は、識別情報の一部を記憶することを特徴とする請求項１または請求項２記載の物品の管理システム。
【請求項４】
前記受信装置は、複数の識別情報を記憶することを特徴とする請求項１ないし請求項３のいずれか記載の物品の管理システム。
【発明の詳細な説明】
【技術分野】
【０００１】
この発明は、多様な物品を集積して管理する倉庫や物流センタなどにおいて、物品を探索する際の作業効率を向上させることができる物品の管理システムに関する。
【背景技術】
【０００２】
倉庫や物流センタなどにおいて、物品を効率よく探索するために、発光素子付きの非接触形無線式のＩＣタグが提案されている（特許文献１）。
【０００３】
一般に、非接触形のＩＣタグは、リーダライタから送信される識別情報と、内部に記憶している識別情報とが一致すると、リーダライタに返信し、電波を介してリーダライタと必要な情報を交換するように動作する。しかし、倉庫や物流センタなどでは、物品の集積場所が広いため、単にＩＣタグとリーダライタとが交信できたというだけでは、そのＩＣタグが付された物品がリーダライタの交信範囲内に存在することがわかるだけで、物品の存在位置を特定することが容易でない場合がある。そこで、ＩＣタグに発光素子を搭載し、リーダライタとの交信が成立することにより発光素子を発光させ、目的の物品を容易に探索することができる。
【特許文献１】特開２０００−３０６０６２号公報
【発明の開示】
【発明が解決しようとする課題】
【０００４】
かかる従来技術によるときは、ＩＣタグは、発光素子を搭載するから、外形寸法が大きくなったり、形状を薄いシート状やフィルム状にできなくなったりして、物品に対して適切に付けることができなくなり、汎用性が損われるおそれがあるという問題があった。また、非接触形のＩＣタグは、電源を搭載していないから、発光素子の発光光度が小さく、十分な認識性を実現することが難しいという問題もあった。
【０００５】
そこで、この発明の目的は、かかる従来技術の問題に鑑み、表示手段を有する受信装置を併用することによって、ＩＣタグの汎用性を損うおそれがなく、必要十分な認識性を容易に実現して物品を探索する際の作業効率の向上を図ることができる物品の管理システムを提供することにある。
【課題を解決するための手段】
【０００６】
かかる目的を達成するためのこの発明の構成は、物品に付ける非接触形のＩＣタグと、ＩＣタグと交信する可搬形のリーダライタと、リーダライタからの電波を受信する表示手段付きの受信装置とを備えてなり、受信装置は、リーダライタからの識別情報と、あらかじめ記憶している識別情報との一致を検知して表示手段に表示することをその要旨とする。
【０００７】
なお、受信装置は、リーダライタからの識別情報と、あらかじめ記憶している識別情報との一部一致を検知してもよく、識別情報の一部を記憶してもよく、複数の識別情報を記憶してもよい。
【発明の効果】
【０００８】
かかる発明の構成によるときは、物品に付けるＩＣタグには、物品を特定するための識別情報があらかじめ書き込まれており、ＩＣタグは、リーダライタからの電波に同一の識別情報が含まれていることを検知すると、リーダライタに返信し、リーダライタとの間に必要な情報を交換する。一方、物流センタなどにおいて、物品は、ＩＣタグを付けて集積されている。そこで、特定の物品を探索する作業員は、可搬形のリーダライタを作動させながら移動して行き、目的の物品がリーダライタの交信範囲内に入ると、ＩＣタグからの返信がリーダライタに受信される。ただし、作業員は、目的の物品に付されているＩＣタグと同一の識別情報を含む電波をリーダライタから発信させながら移動するものとする。なお、ＩＣタグは、識別情報を照合することなく、リーダライタからの読出しコマンドに応答して、記憶しているデータの一部または全部を機械的に返信する読出し専用タイプであってもよい。
【０００９】
受信装置は、目的の物品に付されているＩＣタグと同一の識別情報をあらかじめ記憶させて目的の物品の近傍に設置しておくことにより、ＩＣタグとリーダライタとの交信が成立する前にリーダライタからの電波を受信し、表示手段を作動させて目的の物品の存在位置を作業員に認識させることができる。そこで、作業員は、受信装置の近傍を探索することにより、目的の物品を容易に見出すことが可能である。なお、リーダライタからの電波を受信する受信装置の受信範囲は、少なくともリーダライタ、ＩＣタグ間の交信範囲より広く設定するものとする。また、受信装置は、必要十分な認識性の表示手段を作動させるために、バッテリなどの電源を搭載しているものとする。
【００１０】
表示手段としては、発光素子や、ブザなどの他、識別情報に対応する物品名を音声出力するスピーカなどの一種、または複数種の組合せを使用することができる。なお、ここでいうＩＣタグは、たとえば９５２〜９５４MHz 帯のＵＨＦ波を使用する非接触形無線式のＩＣタグであって、電源を搭載しておらず、リーダライタからの電波を受信して作動するパッシブタイプである。また、受信装置は、記憶させる識別情報を書き換え、設置場所を変更することにより、任意の物品の探索用に繰返し使用することができる。
【００１１】
受信装置は、リーダライタからの識別情報と、あらかじめ記憶している識別情報との一部一致を検知することにより、複数種類の物品の存在を同時に一括して表示手段に表示することができる。たとえば、ｎ桁の数字コードによって識別情報を構成し、最初からのｎ1 桁、ｎ2 桁…ｎi 桁を順に物品の大分類、中分類…小分類などと階層的にコード化することが少なくないが、このとき、受信装置は、たとえば最初のｎ1 桁、ｎ2 桁だけの一致を検知して表示手段に表示することにより、共通の大分類、中分類に属する複数種類の物品の存在を一括して表示することができる。ただし、ｎ、ｎi は、０を含まない自然数とし、Σｎi ＝ｎである。なお、受信装置は、識別情報の一部一致を検知する場合、識別情報の全部を記憶する必要がなく、検知対象とする一部のみを記憶すれば十分である。
【００１２】
受信装置は、複数の識別情報を記憶することにより、各識別情報に対応する複数種類の物品の存在を一括して表示することができる。
【発明を実施するための最良の形態】
【００１３】
以下、図面を以って発明の実施の形態を説明する。
【００１４】
物品の管理システムは、ＩＣタグ１０と、リーダライタ２０と、受信装置３０とを組み合わせてなる（図１）。
【００１５】
ＩＣタグ１０は、たとえば９５２〜９５４MHz 帯のＵＨＦ波を使用する非接触形無線式のＩＣタグである。ＩＣタグ１０は、通信機能を有するＩＣチップ１１、ブースタアンテナ１２を共通の基板１３上に搭載して構成されている。ＩＣタグ１０は、物品に付けられ、物品に固有の識別情報がＩＣチップ１１内の図示しないメモリにあらかじめ書き込まれている。
【００１６】
リーダライタ２０は、可搬形であって、ＩＣタグ１０と交信するためのアンテナ２１を有する。リーダライタ２０は、任意の識別情報を含む電波を発信させながら持ち歩いて移動することができ、識別情報が一致するＩＣタグ１０との交信が成立すると、そのＩＣタグ１０との間で必要な情報の交換をすることができる。なお、アンテナ２１は、リーダライタ２０に内蔵させることが好ましい。
【００１７】
受信装置３０は、アンテナ３１、復調部３２、確認回路３３、メモリ３４の他、表示手段としての発光素子３５、電源用のバッテリ３６を備えている。受信装置３０は、ＩＣタグ１０が付されている特定の物品の近傍の見易い場所に設置するものとし、メモリ３４には、その物品に対応する識別情報があらかじめ記憶されている。また、受信装置３０は、リーダライタ２０のアンテナ２１から発信される電波を受信することができ、その受信範囲は、ＩＣタグ１０、リーダライタ２０の交信範囲より広く設定されている。受信装置３０は、リーダライタ２０からの電波を受信すると、復調部３２を介して識別情報を解読し、確認回路３３を介し、受信されたリーダライタ２０からの識別情報と、メモリ３４に記憶されている識別情報とを照合した上、両者が一致していることを検知すると、発光素子３５を発光させて表示する。
【００１８】
たとえば大形の収納棚Ａに多種多様な物品が集積されているとき（図２）、特定の物品を速やかに探索することを考える。なお、収納棚Ａ内において、各物品は、個別にＩＣタグ１０が付けられ、種類ごとに収納箱Ａ1 に収納されて収納棚Ａに集積されている。また、各収納箱Ａ1 には、受信装置３０が外部から見易い状態に付設されており、各受信装置３０には、収納箱Ａ1 内の物品に対応する識別情報があらかじめ記憶されている。
【００１９】
目的の物品の識別情報を含む電波を発信させながらリーダライタ２０を収納棚Ａの前面に沿って移動させると、リーダライタ２０からの識別情報と一致する識別情報を記憶している受信装置３０の発光素子３５が発光することにより、目的の物品を容易に探索することができる。受信装置３０は、リーダライタ２０が受信範囲内に入ると、識別情報の一致を検知して、表示手段としての発光素子３５を発光させるからである。
【他の実施の形態】
【００２０】
受信装置３０は、収納棚Ａに対して共通に設けてもよい（図３）。
【００２１】
収納棚Ａには、たとえば識別情報の大分類を共通にする複数種類の物品が各棚Ａ2 ごとに分類して集積されている。また、各物品には、ＩＣタグ１０が付けられている。受信装置３０は、各物品に対応する複数の識別情報のうち、共通の大分類に相当する一部のみをあらかじめ記憶しており、リーダライタ２０からの識別情報を受信すると、その一部に相当する大分類の一致を検知して発光素子３５を発光させる。
【００２２】
また、図３において、受信装置３０には、収納棚Ａに集積されている複数種類の物品の識別情報を全部記憶させておいてもよい。このとき、受信装置３０は、リーダライタ２０からの識別情報と、記憶している識別情報のいずれかとの完全一致を検知して発光素子３５を発光させてもよく、共通の大分類相当部分だけの一部一致を検知して発光素子３５を発光させてもよい。
【００２３】
以上の説明において、物品は、必ずしも収納棚Ａに集積されていなくてもよく、広い集積場所に分散して集積されていてもよい。また、受信装置３０は、物品の存在場所を見易く表示すればよいのであるから、物品の集積状況に応じて適宜移動設置し得るように、図示の固定設置形に替えて、たとえば吊下げ形、壁掛け形、床置き形、接着形などの任意の設置形式としてもよい。
【００２４】
なお、表示手段としての発光素子３５は、ブザ、スピーカなどに替えてもよく、それらと併用してもよい。
【図面の簡単な説明】
【００２５】
【図１】全体構成ブロック系統図
【図２】使用状態説明図（１）
【図３】使用状態説明図（２）
【符号の説明】
【００２６】
１０…ＩＣタグ
２０…リーダライタ
３０…受信装置
特許出願人          株式会社  キャダック
代理人  弁理士            松  田  忠  秋
【図１】
2008156038.tif 000003
【図２】
2008156038.tif 000004
【図３】
2008156038.tif 000005